【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
複数のメンバから成るグループを構成する各メンバの端末と、該グループを代表する幹事がＷｅｂページを介して行う宿泊プランの予約手続を支援するサーバシステムとが通信ネットワークを介して接続しているグループ予約支援システムのサーバシステムであって、
予約番号に対応させて、幹事の識別情報，宿泊プランの識別情報及び該宿泊プランの注文数を記憶することが可能な予約情報記憶手段と、
仮予約番号に対応させて、幹事の識別情報，宿泊プランの識別情報，該宿泊プランの仮注文数及び参加決定済メンバ数を記憶することが可能な仮予約情報記憶手段と
にアクセス可能であり、
前記幹事の識別情報と、前記宿泊プランの識別情報と、該宿泊プランの仮注文数とを該幹事の端末から受信する仮予約申請情報受信手段と、
前記受信した各項目を仮予約番号に対応付けて前記仮予約情報記憶手段に書き込む仮予約情報登録手段と、
前記仮予約番号に対応する仮予約識別データを少なくとも含む承認依頼メールを生成し、該承認依頼メールを前記幹事以外の各メンバの端末に送信する承認依頼メール生成送信手段と、
前記幹事以外のメンバの端末から前記仮予約識別データを含む回答データを受信する回答受付手段と、
前記仮予約識別データから識別される前記仮予約番号に対応し、且つ前記回答データに基づいて更新された前記参加決定済メンバ数を取得し、該更新された参加決定済メンバ数が宿泊プランの定員の倍数となるごとに、注文数１の予約が成立すると判定する第一の予約成否判定手段と、
予約が成立すると判定された仮予約に係る仮予約番号に対応する幹事の識別情報及び宿泊プランの識別情報と注文数１とを新たな予約番号に対応させて前記予約情報記憶手段に書き込む予約情報一部登録手段と
を備える
ことを特徴とするサーバシステム。
【請求項２】
宿泊プランの識別情報に対応させて、該宿泊プランの定員及び該宿泊プランの在庫数を記憶している宿泊プラン情報記憶手段にさらにアクセス可能であり、
前記仮予約情報登録手段が、前記受信した宿泊プランの識別情報に対応する在庫数を前記宿泊プラン情報記憶手段より読み出し、該在庫数が前記受信した仮注文数以上であれば、該宿泊プラン情報記憶手段に記憶している該在庫数から該仮注文数を減算するとともに、前記受信した各項目を仮予約番号に対応付けて前記仮予約情報記憶手段に書き込む、
請求項１に記載のサーバシステム。
【請求項３】
前記回答受付手段は、さらに、前記識別した仮予約番号に対応する仮注文数を前記仮予約情報記憶手段より読み出し、前記更新後の参加決定済メンバ数が宿泊プランの定員と該仮注文数との積に等しいとき、該仮予約番号に係る仮予約について回答の受付を打ち切る
ことを特徴とする請求項１又は２に記載のサーバシステム。
【請求項４】
所定の条件を満たすとき、特定した仮予約番号に対応する参加決定済メンバ数を前記仮予約情報記憶手段より読み出し、該参加決定済メンバ数が宿泊プランの定員の倍数でなければ注文数１の予約が成立すると判定する第二の予約成否判定手段をさらに備える
ことを特徴とする請求項１〜３のいずれか一項に記載のサーバシステム。
【請求項５】
前記仮予約情報記憶手段は、予約成立プラン数をさらに記憶することが可能であり、
前記仮予約情報記憶手段に記憶している前記予約が成立すると判定された仮予約に係る仮予約番号に対応する予約成立プラン数に１を加算する予約成立数計数手段と、
前記所定の条件を満たすとき、さらに、前記特定した仮予約番号に対応する宿泊プランの識別情報と、仮注文数と、予約成立プラン数とを前記仮予約情報記憶手段より読み出し、該仮予約情報記憶手段に記憶している該宿泊プランの識別情報に対応する在庫数に、該仮注文数と該予約成立プラン数との差を加算する予約一部解除手段と
をさらに備える
ことを特徴とする請求項４に記載のサーバシステム。
【請求項６】
前記仮予約情報記憶手段は、前記仮予約番号に対応させて、回答期限をさら記憶することが可能であり、
前記仮予約申請情報受信手段は、回答期限をさらに受信し、
前記仮予約情報登録手段は、前記受信した回答期限を前記仮予約番号に対応付けて前記仮予約情報記憶手段にさらに書き込み、
前記第二の予約成否判定手段は、前記仮予約情報記憶手段に記憶しているいずれかの仮予約番号に対応する回答期限が経過しているとき、該回答期限が経過している仮予約番号を特定し、該特定した仮予約番号に対応する予約の成否を判定する
ことを特徴とする請求項４又は５に記載のサーバシステム。
【請求項７】
前記予約情報記憶手段は、各予約番号を対応する仮予約番号に関連付けて記憶することが可能であり、
前記予約情報一部登録手段は、前記予約が成立すると判定された仮予約に係る仮予約番号と前記新たな予約番号とを関連付けて前記予約情報記憶手段に登録する
ことを特徴とする請求項１〜６のいずれか一項に記載のサーバシステム。
【請求項８】
複数のメンバから成るグループを構成する各メンバの端末と、該グループを代表する幹事がＷｅｂページを介して行う宿泊プランの予約手続を支援するサーバシステムとが通信ネットワークを介して接続しているグループ予約支援システムにおけるグループ予約支援方法であって、
予約番号に対応させて、幹事の識別情報，宿泊プランの識別情報及び該宿泊プランの注文数を記憶することが可能な予約情報記憶手段と、
仮予約番号に対応させて、幹事の識別情報，宿泊プランの識別情報，該宿泊プランの仮注文数及び参加決定済メンバ数を記憶することが可能な仮予約情報記憶手段と
にアクセス可能なサーバシステムが、
前記幹事の識別情報と、前記宿泊プランの識別情報と、該宿泊プランの仮注文数とを該幹事の端末から受信する仮予約申請情報受信ステップと、
前記受信した各項目を仮予約番号に対応付けて前記仮予約情報記憶手段に書き込む仮予約情報登録ステップと、
前記仮予約番号に対応する仮予約識別データを少なくとも含む承認依頼メールを生成し、該承認依頼メールを前記幹事以外の各メンバの端末に送信する承認依頼メール生成送信ステップと、
前記幹事以外のメンバの端末から前記仮予約識別データを含む回答データを受信する回答受付ステップと、
前記仮予約識別データから識別される前記仮予約番号に対応し、且つ前記回答データに基づいて更新された前記参加決定済メンバ数を取得し、該更新された参加決定済メンバ数が宿泊プランの定員の倍数となるごとに、注文数１の予約が成立すると判定する第一の予約成否判定ステップと、
予約が成立すると判定された仮予約に係る仮予約番号に対応する幹事の識別情報及び宿泊プランの識別情報と注文数１とを新たな予約番号に対応させて前記予約情報記憶手段に書き込む予約情報一部登録ステップと
を実行することを特徴とするグループ予約支援方法。
【請求項９】
複数のメンバから成るグループを構成する各メンバの端末と、該グループを代表する幹事がＷｅｂページを介して行う宿泊プランの予約手続を支援するサーバシステムとが通信ネットワークを介して接続しているグループ予約支援システムにおけるグループ予約支援プログラムであって、
予約番号に対応させて、幹事の識別情報，宿泊プランの識別情報及び該宿泊プランの注文数を記憶することが可能な予約情報記憶手段と、
仮予約番号に対応させて、幹事の識別情報，宿泊プランの識別情報，該宿泊プランの仮注文数及び参加決定済メンバ数を記憶することが可能な仮予約情報記憶手段と
にアクセス可能なサーバシステムに、
前記幹事の識別情報と、前記宿泊プランの識別情報と、該宿泊プランの仮注文数とを該幹事の端末から受信する仮予約申請情報受信ステップと、
前記受信した各項目を仮予約番号に対応付けて前記仮予約情報記憶手段に書き込む仮予約情報登録ステップと、
前記仮予約番号に対応する仮予約識別データを少なくとも含む承認依頼メールを生成し、該承認依頼メールを前記幹事以外の各メンバの端末に送信する承認依頼メール生成送信ステップと、
前記幹事以外のメンバの端末から前記仮予約識別データを含む回答データを受信する回答受付ステップと、
前記仮予約識別データから識別される前記仮予約番号に対応し、且つ前記回答データに基づいて更新された前記参加決定済メンバ数を取得し、該更新された参加決定済メンバ数が宿泊プランの定員の倍数となるごとに、注文数１の予約が成立すると判定する第一の予約成否判定ステップと、
予約が成立すると判定された仮予約に係る仮予約番号に対応する幹事の識別情報及び宿泊プランの識別情報と注文数１とを新たな予約番号に対応させて前記予約情報記憶手段に書き込む予約情報一部登録ステップと
を実行させるためのグループ予約支援プログラム。
【手続補正２】
【補正対象書類名】明細書
【補正対象項目名】００１４
【補正方法】変更
【補正の内容】
【００１４】
上記課題を解決するため、本発明の一形態は、複数のメンバから成るグループを構成する各メンバの端末と、該グループを代表する幹事がＷｅｂページを介して行う宿泊プランの予約手続を支援するサーバシステムとが通信ネットワークを介して接続しているグループ予約支援システムのサーバシステムであって、予約番号に対応させて、幹事の識別情報，宿泊プランの識別情報及び該宿泊プランの注文数を記憶することが可能な予約情報記憶手段と、仮予約番号に対応させて、幹事の識別情報，宿泊プランの識別情報，該宿泊プランの仮注文数及び参加決定済メンバ数を記憶することが可能な仮予約情報記憶手段とにアクセス可能であり、前記幹事の識別情報と、前記宿泊プランの識別情報と、該宿泊プランの仮注文数とを該幹事の端末から受信する仮予約申請情報受信手段と、前記受信した各項目を仮予約番号に対応付けて前記仮予約情報記憶手段に書き込む仮予約情報登録手段と、前記仮予約番号に対応する仮予約識別データを少なくとも含む承認依頼メールを生成し、該承認依頼メールを前記幹事以外の各メンバの端末に送信する承認依頼メール生成送信手段と、前記幹事以外のメンバの端末から前記仮予約識別データを含む回答データを受信する回答受付手段と、前記仮予約識別データから識別される前記仮予約番号に対応し、且つ前記回答データに基づいて更新された前記参加決定済メンバ数を取得し、該更新された参加決定済メンバ数が宿泊プランの定員の倍数となるごとに、注文数１の予約が成立すると判定する第一の予約成否判定手段と、予約が成立すると判定された仮予約に係る仮予約番号に対応する幹事の識別情報及び宿泊プランの識別情報と注文数１とを新たな予約番号に対応させて前記予約情報記憶手段に書き込む予約情報一部登録手段とを備えることを特徴とする。
別の形態に係るサーバシステムでは、宿泊プランの識別情報に対応させて、該宿泊プランの定員及び該宿泊プランの在庫数を記憶している宿泊プラン情報記憶手段をさらに有し、前記仮予約情報登録手段が、前記受信した宿泊プランの識別情報に対応する在庫数を前記宿泊プラン情報記憶手段より読み出し、該在庫数が前記受信した仮注文数以上であれば、該宿泊プラン情報記憶手段に記憶している該在庫数から該仮注文数を減算するとともに、前記受信した各項目を仮予約番号に対応付けて前記仮予約情報記憶手段に書き込んでもよい。
【手続補正３】
【補正対象書類名】明細書
【補正対象項目名】００２０
【補正方法】変更
【補正の内容】
【００２０】
また、上記課題を解決するため、本発明の一形態は、複数のメンバから成るグループを構成する各メンバの端末と、該グループを代表する幹事がＷｅｂページを介して行う宿泊プランの予約手続を支援するサーバシステムとが通信ネットワークを介して接続しているグループ予約支援システムにおけるグループ予約支援方法であって、予約番号に対応させて、幹事の識別情報，宿泊プランの識別情報及び該宿泊プランの注文数を記憶することが可能な予約情報記憶手段と、仮予約番号に対応させて、幹事の識別情報，宿泊プランの識別情報，該宿泊プランの仮注文数及び参加決定済メンバ数を記憶することが可能な仮予約情報記憶手段とにアクセス可能なサーバシステムが、前記幹事の識別情報と、前記宿泊プランの識別情報と、該宿泊プランの仮注文数とを該幹事の端末から受信する仮予約申請情報受信ステップと、前記受信した各項目を仮予約番号に対応付けて前記仮予約情報記憶手段に書き込む仮予約情報登録ステップと、前記仮予約番号に対応する仮予約識別データを少なくとも含む承認依頼メールを生成し、該承認依頼メールを前記幹事以外の各メンバの端末に送信する承認依頼メール生成送信ステップと、前記幹事以外のメンバの端末から前記仮予約識別データを含む回答データを受信する回答受付ステップと、前記仮予約識別データから識別される前記仮予約番号に対応し、且つ前記回答データに基づいて更新された前記参加決定済メンバ数を取得し、該更新された参加決定済メンバ数が宿泊プランの定員の倍数となるごとに、注文数１の予約が成立すると判定する第一の予約成否判定ステップと、予約が成立すると判定された仮予約に係る仮予約番号に対応する幹事の識別情報及び宿泊プランの識別情報と注文数１とを新たな予約番号に対応させて前記予約情報記憶手段に書き込む予約情報一部登録ステップとを実行することを特徴とする。
【手続補正４】
【補正対象書類名】明細書
【補正対象項目名】００２１
【補正方法】変更
【補正の内容】
【００２１】
また、上記課題を解決するため、本発明の一形態は、複数のメンバから成るグループを構成する各メンバの端末と、該グループを代表する幹事がＷｅｂページを介して行う宿泊プランの予約手続を支援するサーバシステムとが通信ネットワークを介して接続しているグループ予約支援システムにおけるグループ予約支援プログラムであって、予約番号に対応させて、幹事の識別情報，宿泊プランの識別情報及び該宿泊プランの注文数を記憶することが可能な予約情報記憶手段と、仮予約番号に対応させて、幹事の識別情報，宿泊プランの識別情報，該宿泊プランの仮注文数及び参加決定済メンバ数を記憶することが可能な仮予約情報記憶手段とにアクセス可能なサーバシステムに、前記幹事の識別情報と、前記宿泊プランの識別情報と、該宿泊プランの仮注文数とを該幹事の端末から受信する仮予約申請情報受信ステップと、前記受信した各項目を仮予約番号に対応付けて前記仮予約情報記憶手段に書き込む仮予約情報登録ステップと、前記仮予約番号に対応する仮予約識別データを少なくとも含む承認依頼メールを生成し、該承認依頼メールを前記幹事以外の各メンバの端末に送信する承認依頼メール生成送信ステップと、前記幹事以外のメンバの端末から前記仮予約識別データを含む回答データを受信する回答受付ステップと、前記仮予約識別データから識別される前記仮予約番号に対応し、且つ前記回答データに基づいて更新された前記参加決定済メンバ数を取得し、該更新された参加決定済メンバ数が宿泊プランの定員の倍数となるごとに、注文数１の予約が成立すると判定する第一の予約成否判定ステップと、予約が成立すると判定された仮予約に係る仮予約番号に対応する幹事の識別情報及び宿泊プランの識別情報と注文数１とを新たな予約番号に対応させて前記予約情報記憶手段に書き込む予約情報一部登録ステップとを実行させる。
【手続補正５】
【補正対象書類名】図面
【補正対象項目名】図２１
【補正方法】変更
【補正の内容】
【図２１】
2011034351.tif 000001